(57)【要約】      （修正有）【課題】組み付け性が良好であって小型化を図ることが可能なギヤポンプの提供。【解決手段】駆動軸１０と、第１ギヤ１５と、第２ギヤ１８と、シール部材７と、第１サイドプレート１４及び第２サイドプレート１７と、駆動軸１０と第１ギヤ１５、第２ギヤ１８との間において、回転方向には回り止め係合し、軸方向には相対移動可能に結合する結合部とを有し、結合部は、駆動軸１０に設けられ駆動軸１０の軸心から半径方向に伸びた駆動凸部（駆動ピン１０ａ、１０ｃ）と、第１ギヤ１５、第２ギヤ１８に形成され駆動凸部（駆動ピン１０ａ、１０ｃ）が係合する凹部１５ｆ、１８ｆとからなり、シール部材７と駆動凸部（駆動ピン１０ａ、１０ｃ）によって、駆動軸１０と第１ギヤ１５、第２ギヤ１８とを軸方向に相対位置決めすることとした。【選択図】図６
2010059931.tif 000002
【特許請求の範囲】
【請求項１】
駆動源に接続した駆動軸と、
前記駆動軸によって回転駆動され第１ポンプを構成する第１ギヤと、
前記駆動軸によって回転駆動され第２ポンプを構成する第２ギヤと、
前記第１ギヤと前記第２ギヤとに挟まれ両ギヤの一方の側面をシールし、前記駆動軸が貫通する貫通穴を有するシール部材と、
前記第１及び第２ギヤの他方の側面をシールする第１及び第２サイドプレートと、
前記駆動軸と前記各ギヤとの間において、回転方向には回り止め係合し、軸方向には相対移動可能に結合する結合部と、
を有し、
前記結合部は、前記駆動軸に設けられ前記駆動軸の軸心から半径方向に伸びた駆動凸部と、前記両ギヤに形成され前記駆動凸部が係合する凹部とからなり、
前記シール部材または前記両サイドプレートの少なくとも一方側の部材と前記駆動凸部によって、前記駆動軸と前記各ギヤとを軸方向に相対位置決めすることを特徴とするギヤポンプ。
【請求項２】
請求項１に記載のギヤポンプにおいて、
前記駆動凸部と前記シール部材によって相対位置決めすることを特徴とするギヤポンプ。
【請求項３】
請求項２に記載のギヤポンプにおいて、
前記駆動凸部と前記シール部材との間に該シール部材より硬質のストッパ部材を配置し、前記ストッパ部材を介して相対位置決めすることを特徴とするギヤポンプ。
【請求項４】
請求項３に記載のギヤポンプにおいて、
前記ストッパ部材は略円盤状部材であって、駆動軸の中心から前記駆動凸部の先端までの長さは、該ストッパ部材の半径より短いことを特徴とするギヤポンプ。
【請求項５】
請求項１に記載のギヤポンプにおいて、
前記駆動凸部と前記シール部材または前記サイドプレートとの間にストッパ部材を配置すると共に、前記シール部材または前記サイドプレートに前記ストッパ部材が設置される凹部を形成し、該凹部の深さは前記ストッパ部材の厚さとほぼ等しいことを特徴とするギヤポンプ。
【請求項６】
請求項１に記載のギヤポンプにおいて、
前記駆動凸部は、前記第１ギヤを駆動する第１駆動凸部と前記第２ギヤを駆動する第２駆動凸部であり、
前記駆動軸の一方側を前記第１駆動凸部により位置決めし、他方側を前記第２駆動凸部により位置決めすることを特徴とするギヤポンプ。
【請求項７】
請求項６に記載のギヤポンプにおいて、
前記第１駆動凸部及び前記第２駆動凸部と前記シール部材によって相対位置決めすることを特徴とするギヤポンプ。
【請求項８】
請求項７に記載のギヤポンプにおいて、
前記駆動凸部と前記シール部材との間に該シール部材より硬質のストッパ部材を配置し、前記ストッパ部材を介して相対位置決めすることを特徴とするギヤポンプ。
【請求項９】
請求項８に記載のギヤポンプにおいて、
前記ストッパ部材は略円盤状部材であって、前記駆動軸の中心から前記駆動凸部の先端までの長さは、該ストッパ部材の半径より短いことを特徴とするギヤポンプ。
【請求項１０】
請求項１に記載のギヤポンプにおいて、
前記駆動軸の外周と前記貫通穴との間をシールするシール材と、
前記シール部材に形成され、前記第１または第２ギヤの一方側に面して開口し、前記シール材を収容するシール収容部と、
該シール収容部を閉塞するストッパ部材と、
を有し、
前記駆動凸部と前記シール部材とは前記ストッパ部材を介して相対位置決めを行うことを特徴とするギヤポンプ。
【請求項１１】
請求項１に記載のギヤポンプにおいて、
前記駆動凸部の軸方向の幅は前記係合するギヤの板厚より小さいことを特徴とするギヤポンプ。
【請求項１２】
駆動源に接続した駆動軸と、
前記駆動軸によって回転駆動され第１ポンプを構成する第１ギヤと、
前記第１ギヤが収容される第１ポンプ室と、
前記駆動軸によって回転駆動され第２ポンプを構成する第２ギヤと、
前記第２ギヤが収容される第２ポンプ室と、
前記第１ポンプ室と前記第２ポンプ室とを区画すると共に、前記駆動軸が貫通する貫通穴を有し、前記第１及び第２ギヤの一方側の側面に配置された隔壁部材と、
前記第１及び第２ギヤの他方側の側面に配置された第１及び第２サイドプレートと、
前記各ギヤと前記駆動軸との間において、回転方向には回り止め係合し、軸方向には相対移動可能に結合する結合部と、
を有し、
前記結合部は、前記駆動軸に設けられ前記駆動軸の軸心から半径方向に伸びた駆動ピンと、前記ギヤに形成され前記駆動ピンが係合する凹部からなり、
前記駆動ピンと前記隔壁部材または前記両サイドプレートの少なくとも一方側との間で前記駆動軸の軸方向の動きを規制する規制手段を構成することを特徴とするギヤポンプ。
【請求項１３】
請求項１２に記載のギヤポンプにおいて、
前記駆動ピンと前記隔壁部材との間に前記規制手段を設けたことを特徴とするギヤポンプ。
【請求項１４】
請求項１３に記載のギヤポンプにおいて、
前記駆動ピンと前記隔壁部材との間に該隔壁部材より硬質のストッパ部材を配置したことを特徴とするギヤポンプ。
【請求項１５】
請求項１４に記載のギヤポンプにおいて、
前記ストッパ部材は略円盤状であって、前記駆動軸の中心から前記駆動ピンの先端までの長さは、該ストッパ部材の半径より短いことを特徴とするギヤポンプ。
【請求項１６】
請求項１５に記載のギヤポンプにおいて、
前記隔壁部材に前記ストッパ部材が設置される凹部を形成し、該凹部の深さは前記ストッパ部材の厚さとほぼ等しいことを特徴とするギヤポンプ。
【請求項１７】
請求項１２に記載のギヤポンプにおいて、
前記駆動ピンは、前記第１ギヤを駆動する第１駆動ピンと前記第２ギヤを駆動する第２駆動ピンであり、
前記駆動軸の一方側を前記第１駆動ピンにより位置決めし、他方側を前記第２駆動ピンにより位置決めすることを特徴とするギヤポンプ。
【請求項１８】
請求項１７に記載のギヤポンプにおいて、
前記第１駆動ピン及び前記第２駆動ピンと前記隔壁部材との間に前記規制手段を設けたことを特徴とするギヤポンプ。
【請求項１９】
請求項１８に記載のギヤポンプにおいて、
前記駆動ピンと前記隔壁部材との間に前記シール部材より硬質のストッパ部材を配置したことを特徴とするギヤポンプ。
【請求項２０】
請求項１９に記載のギヤポンプにおいて、
前記駆動軸の中心から前記駆動ピンの先端までの長さは、前記ストッパ部材の半径より短いことを特徴とするギヤポンプ。
【請求項２１】
請求項１２に記載のギヤポンプにおいて、
前記駆動軸の外周と前記貫通穴との間をシールするシール材と、
前記隔壁部材に形成され、前記第１または第２ギヤの一方側に面して開口し、前記シール材を収容するシール収容部と、
該シール収容部を閉塞するストッパ部材と、
を有し、
前記駆動ピンと前記隔壁部材は前記ストッパ部材を介して相対位置決めを行うことを特徴とするギヤポンプ。
【請求項２２】
駆動源に接続した駆動軸と、
前記駆動軸によって回転駆動され第１ポンプを構成する第１ギヤと、
前記第１ギヤが収容される第１ポンプ室と、
前記駆動軸によって回転駆動され第２ポンプを構成する第２ギヤと、
前記第２ギヤが収容される第２ポンプ室と、
前記第１ポンプ室と前記第２ポンプ室とを区画し、前記第１及び第２ギヤの一方側の側面に配置された隔壁部材と、
前記第１及び第２ギヤの他方側の側面に配置された第１及び第２サイドプレートと、
を有し、
前記各ギヤは前記駆動軸の軸心から半径方向に伸びた駆動ピンと、前記ギヤに形成された凹部に前記駆動ピンが係合し軸方向相対移動可能な状態で回転駆動し、
前記駆動軸の一方側への軸方向の動きは前記第１ギヤを駆動する第１駆動ピンと前記各サイドプレートまたは前記隔壁部材とで規制され、他方側への軸方向の動きは前記第２ギヤを駆動する第２駆動ピンと前記各サイドプレートまたは前記隔壁部材とで規制されることを特徴とするギヤポンプ。
【請求項２３】
駆動源に接続した駆動軸と、
前記駆動軸によって回転駆動されるギヤと、
前記ギヤの両側面に隣接して設けられギヤの側面からの作動液の漏れを抑制する一対のサイドプレートと、
前記駆動軸と前記ギヤは回転方向には回り止め係合し、軸方向には相対移動可能に結合する結合部と、
該結合部は前記駆動軸に設けられ駆動軸の軸心から半径方向に伸びた駆動凸部と、前記ギヤに形成された前記駆動凸部が係合する凹部からなり、
前記駆動凸部の軸方向の最大寸法を前記ギヤの厚み寸法以下に形成するとともに、
少なくとも前記サイドプレートのうち一方のサイドプレートと前記駆動凸部の対向部には前記駆動軸の前記ギヤに対する軸方向の相対移動量を規制する規制部材が設けられていることを特徴とするギヤポンプ。
【発明の詳細な説明】
【技術分野】
【０００１】
本発明は、ギヤポンプの技術分野に属する。
【背景技術】
【０００２】
従来、ギヤポンプとして特許文献１に記載の技術が知られている。この公報には、駆動軸を支持するベアリングにより駆動軸の軸方向への移動を規制している。具体的には、インナレースと、アウタレースと、これらレースの間に配設された転動体を有する。そして、駆動軸をインナレースに圧入固定し、アウタレースを駆動軸方向への移動を規制した状態でケーシングに配設することで、駆動軸の軸方向への移動を規制している。
【特許文献１】特開２００７−２７８０８５号公報
【発明の開示】
【発明が解決しようとする課題】
【０００３】
上述の特許文献１に記載のギヤポンプにおいては、駆動軸に対しインナレースを圧入しているため、圧入工程の追加により組み付け性が悪化するという問題があった。
また、ベアリングに軸方向規制機能を持たせているため、ベアリング自体の大型化に伴うギヤポンプの大型化を招いていた。
【０００４】
本発明は、上記問題に着目してなされたもので、組み付け性が良好であって小型化を図ることが可能なギヤポンプを提供することにある。
【課題を解決するための手段】
【０００５】
上記目的を達成するため、本発明では、ギヤポンプにおいて、駆動軸に設けられギヤと係合する凸部によって駆動軸の軸方向の動きを規制することとした。
これにより、良好な組み付け性を確保しつつギヤポンプの小型化を達成できる。
【発明を実施するための最良の形態】
【０００６】
以下、本発明の最良の実施形態について図面に基づいて説明する。
【実施例１】
【０００７】
以下、実施例１を説明する。
図１は実施例１のギヤポンプの前方斜視図、図２は同後方斜視図、図３は同正面図、図４は図３のＡ４−Ａ４線における断面図、図５は図３のＡ５−Ａ５線における断面図、図６は図４におけるポンプ組立体の要部拡大図、図７は図５におけるポンプ組立体の要部拡大図である。
【０００８】
図８は実施例１のシール部材の前方斜視図、図９は同後方斜視図、図１０は同正面図、図１１は同背面図、図１２は図１１のＡ１２−Ａ１２線における断面図である。
図１３、１４は実施例１の第１サイドプレートの前方斜視図、図１５は同正面図、図１６は同背面図、図１７は同上面図である。
【０００９】
図１８は実施例１の第１ギヤと第１サイドプレートの配置を説明する図であり、ギヤポンプの作動を説明する図、図１９は実施例１の第１ギヤ、第１サイドプレート、シール部材（二点鎖線で図示）、保持部材（一点鎖線で図示）の配置を説明する図、図２０は図１９のＡ２０−Ａ２０線における断面図である。
【００１０】
図２１、２２は実施例１の第２サイドプレートの後方斜視図、図２３は同正面図、図２４は同背面図、図２５は同上面図である。
【００１１】
図２６は実施例１の駆動軸の周辺部材の寸法関係を説明する図であり、駆動ピンの相対位置決めを説明する簡略図である。
【００１２】
先ず、全体構成を説明する。図１〜５に示すように、実施例１のギヤポンプ１では、自動車のブレーキ液圧制御用のアクチュエータに用いられるものであって、ハウジング２と、このハウジング２に収容されたポンプ組立体３とが備えられている。
【００１３】
［ハウジングについて］
次に、ハウジング２について説明する。ハウジング２は略矩形状に形成される他、その外面には図示しない切換えバルブやセンサが取り付けられる取付孔２ａが複数形成されている。ハウジング２の前面略中央には径の異なる段付きの略円柱状に凹設されたポンプ室４が形成され、ここにポンプ組立体３が収容されている。
【００１４】
［ポンプ組立体について］
次に、ポンプ組立体３について説明する。尚、図外のモータが取り付けられる側を前方とし、軸方向第１ポンプ８側を後方として記載する。図６、７に示すように、ポンプ組立体３は、プラグ部材５と、カバー部材６と、シール部材７と、第１ポンプ８及び第２ポンプ９等を有する。プラグ部材５は、略円盤状に形成され、その中央には六角柱形状に貫通形成された貫通孔５ａが形成されている。また、プラグ部材５の後端部には、後述するカバー部材６と当接する後面５ｄと、この後面５ｄの外周を取り囲み、後方へ環状に突出した環状突起部５ｂとが形成されている。さらに、プラグ部材５の外周には雄螺子溝５ｃが形成されている。この雄螺子溝５ｃはポンプ室４の内周部に形成された雌螺子溝４ａに螺合される。
【００１５】
カバー部材６は、略円盤状に形成され、プラグ部材５と当接する前面６ｅと、前面６ｅの外周全体に亘って切り欠かれた段部６ｆを有する。そして、プラグ部材５の螺合による軸力により前面６ｅが後方へ押圧されることにより、前面６ｅがプラグ部材５の後面５ｄに当接し、さらに、プラグ部材５の環状突起部５ｂと段部６ｆとが嵌合した状態で所定位置に配設されている。
【００１６】
カバー部材６の外周には、ポンプ室４の内周と略同一径の高さを有し、環状突起部５ｂと略同じ径方向高さを有する凸部６ｇが形成されている。また、カバー部材６の外周であって凸部６ｇの後方にはシール溝６ｈが形成されている。凸部６ｇと環状突起部５ｂとの間には、ポンプ室４の内周とのシール性を確保するための環状のシールS1が備えられ、シール溝６ｈにはポンプ室４の内周とのシール性を確保するための環状のシールS2が備えられている。すなわち、シールS1,S2は、前後に離間した位置に装着されている。
【００１７】
カバー部材６の偏芯位置には、内径が異なる段付きの貫通孔６ｂが形成されている。この貫通孔６ｂには駆動軸１０が隙間６ａを有して挿通される。一方、貫通孔６ｂの大径側と小径側に位置し、駆動軸１０とのシール性を確保するための環状のシールS3がそれぞれ装着されている。さらに、カバー部材６の後端部には前方へ環状に凹設された凹部６ｄと、この凹部６ｄから後方へ環状に突出した環状突起部６ｃが形成されている。環状突起部６ｃの内周には内周全体に亘って切り欠かれた段部６ｉが形成されている。
【００１８】
図８〜１２に示すように、シール部材７は略円盤状に形成され、貫通孔７ａと、この貫通孔７ａよりも図中下方に２つの挿入孔7b、7cが同軸上に形成されている。貫通孔７ａは、円形状の開口断面を有してシール部材７に前後方向に貫通形成される。一方、挿入孔7b、7cは、円形状の開口断面を有し、シール部材７の厚み方向内側に両挿入孔7b,7cが干渉しない所定深さを有して形成されている。また、シール部材７の前後面には、各孔７ａ〜７ｃの周囲に沿って軸方向へ突出したサイドシール部７ｄがそれぞれ形成されると共に、その一側面には一対の係合凸部７ｅが側方へ突設されている。
【００１９】
各サイドシール部７ｄには、貫通孔７ａと同軸上で環状に厚み方向内側へ凹設されたリング収容部７ｆがそれぞれ形成されている。さらに、シール部材７の後面のリング収容部７ｆの厚み方向内側には、リング収容部７ｆと連続して環状に凹設された小径のシール収容部７ｇが形成されている。その他、シール部材７の外周には、径方向内側へ環状に凹設されたシール収容溝７ｈが形成され、その前端部には前方へ環状に突設された環状突起部７ｉが形成されている。
【００２０】
そして、図６、７に示すように、シール部材７は、プラグ部材５の螺合による軸力によってカバー部材６を介して後方へ押圧される。これにより、環状突起部７ｉがカバー部材６の環状突起部６ｃの内周に形成された段部６ｉに嵌合し、さらに、その後面の一部がポンプ室４の段部４ｂに当接した状態で所定位置に配設（位置決め）されている。また、シール部材７の貫通孔７ａには駆動軸１０が挿通されて回転可能に支持されている。また、挿入孔7b,7cにはそれぞれ対応する従動軸11a,11bが圧入固定されている。
【００２１】
シール部材７のシール収容部７ｇには、環状の回転シール部材１２（Ｘリング等）が介装され、駆動軸１０と後述する第１ポンプ室Ｐ１とのシール性が確保されている。さらに、シール部材７の後面のリング収容部７ｆには回転シール部材１２のシール収容部７ｇを閉塞した状態で第１シールリング１３ａが介装されている。また、前面のリング収容部７ｆには環状の第２シールリング１３ｂが介装されている。尚、各シールリング13a,13bは、焼結金属部品または超硬金属部品であり、少なくともシール部材７よりも硬質で耐久性が高い素材で形成されている。また、シール部材７のシール収容溝７ｈには、ポンプ室４内周に密着し、第１ポンプ室Ｐ１と第２ポンプ室Ｐ２との間のシール性を確保するための環状のシールS4が装着されている。
【００２２】
そして、ポンプ室４の段部４ｂから後方へ環状に凹設された凹部４ｃとシール部材７との間には、閉空間となる第１ポンプ室Ｐ１が形成され、ここに第１ポンプ８が配設されている。一方、カバー部材６の凹部６ｄとシール部材７との間には、閉空間となる第２ポンプ室Ｐ２が形成され、ここに第２ポンプ９が配設されている。
【００２３】
第１ポンプ８には、シール部材７と第１サイドプレート１４とによって前後面及び歯先をシールされた第１ギヤ１５が配設されている。以下、第１サイドプレート１４について説明する。図１３〜１７に示すように、第１サイドプレート１４は、樹脂製で正面視略三角形状に形成されている。また、略三角形状の頂点付近には、３つの貫通孔14a,14b,14cが貫通形成されている。第１サイドプレート１４の前面において、貫通孔14a,14bの周囲には前方へ突出したサイドシール部１４ｄが形成されている。
【００２４】
また、第１サイドプレート１４の前面には略三角形状に前方へ突出したシールブロック１４ｅが形成されている。シールブロック１４ｅには、貫通孔１４ｃに連続して中心側へ向かう開口部を形成する通路部１４ｆと、この通路部１４ｆを挟んだ両側に形成され、サイドシール部１４ｄの一部と連続した一対の湾曲面状の歯先シール部１４ｇと、各歯先シール部１４ｇの前方側に位置する係合部１４ｈとが形成されている。さらに、シールブロック１４ｅには、歯先シール部１４ｇの外周から貫通穴１４ｃを囲むように内側へ凹設された溝１４ｉが形成されている。一方、第１サイドプレート１４の後面（図１６参照）には各貫通孔を取り囲むように略三角形状に屈曲した形状のシール収容溝１４ｊが凹設されている。
【００２５】
そして、図７に示すように、第１サイドプレート１４の貫通孔１４ａには駆動軸１０が径方向に所定の隙間を有した状態で回転可能に挿通されている。一方、貫通孔１４ｂには従動軸１１ａが径方向に所定の隙間を有した状態で挿通されている。また、シール収容溝１４ｊにはシールＳ５が介装されて、第１ポンプ室Ｐ１と低圧部とのシール性が確保されている。
【００２６】
第１ギヤ１５は、駆動軸１０が挿通された駆動ギヤ１５ａと、従動軸１１ａが挿通された従動ギヤ１５ｂで構成され、これら両ギヤ15a,15bの歯先15c,15d同士は歯合部１５ｅで噛合されている。図６、１８に示すように、駆動軸１０における駆動ギヤ１５ａと対応する位置には内側に凹設された凹部１０ｄが形成され、ここに該駆動軸１０の軸心から半径方向に伸びた円柱状の駆動ピン１０ａが挿入されている。この駆動ピン１０ａは圧入により固定してもよいし、単に挿入しただけでもよく、特に限定しない。
【００２７】
駆動ピン１０ａは駆動ギヤ１５ａの内周に切欠形成された凹部１５ｆに係合されている。駆動軸１０の前端部には図示しないモータ（駆動源）の回転軸に連結するための四角柱形状の連結部１０ｂが形成されており（図７参照）、駆動軸１０はモータの駆動によって軸周り方向に回転駆動可能になっている。
【００２８】
これにより、駆動ギヤ１５ａは駆動ピン１０ａとの係合により駆動軸１０に周り止めされるため、駆動軸１０の回転駆動に伴って駆動ギヤ１５ａが駆動軸１０と同じ回転方向に回転する。一方、駆動ギヤ１５ａと噛合した従動ギヤ１５ｂが駆動軸１０とは反対方向に回転する。
【００２９】
図１８に示すように、各ギヤ15a,15bの歯先15c,15dは第１サイドプレート１４のシールブロック１４ｅのそれぞれ対応する歯先シール部１４ｇに液密に当接しながら摺動可能になっている。また、図１９に示すように、シール部材７の後面の一対の係合凸部７ｅは、シールブロック１４ｅのそれぞれ対応する係合部１４ｈの曲面に密着した状態で係合され、これにより、各ギヤ15a,15bの歯先15c,15dを第１サイドプレート１４のサイドシール部１４ｄとの間でシールする。さらに、シールブロック１４ｅの外周に形成された溝１４ｉとシール部材７の対応するサイドシール部７ｄに掛けて略三角形形状に保持部材１６が装着されている（図７参照）。
【００３０】
また、図示を省略するが、ポンプ室４には、第１サイドプレート１４の貫通孔１４ｃに連通した吸入ポートと、第１ポンプ室Ｐ１に連通した吐出ポートが設けられている。
【００３１】
一方、第２ポンプ９は、第１ポンプ８とシール部材７とを中心として対称構成となっている。即ち、シール部材７と第２サイドプレート１７によって前後面をシールされた第２ギヤ１８が配設されている。図２１〜２５に示すように、第２サイドプレート１７は、第１サイドプレート１４と同様に、貫通孔17a,17b,17c、サイドシール部１７ｄ、シールブロック１７ｅ、通路部１７ｆ、歯先シール部１７ｇ、係合部１７ｈ、溝１７ｉ、及びシール収容溝１７ｊが形成されている。また、シールブロック１７ｅの外周に形成された溝１７ｉとシール部材７の対応するサイドシール部７ｄに掛けて略三角形形状に保持部材１９（図７参照）が装着されている。
【００３２】
そして、図７に示すように、第２サイドプレート１７の貫通孔１７ａには駆動軸１０が径方向に所定の隙間を有した状態で回転可能に挿通される一方、貫通孔１７ｂには従動軸１１ｂが径方向に所定の隙間を有した状態で挿通されている。また、シール収容溝１７ｊにはシールＳ６が介装されて、第２ポンプ室Ｐ２のシール性が確保されている。
【００３３】
第２ギヤ１８は、第１ギヤ１５と同様に、駆動軸１０が挿通された駆動ギヤ１８ａと、従動軸１１ｂが挿通された従動ギヤ１８ｂで構成され、これら両ギヤ18a,18bの歯先18c,18d同士は歯合部１８ｅで噛合されている。
【００３４】
図６に示すように、駆動軸１０における駆動ギヤ１８ａと対応する位置には内側に凹設された凹部１０ｅが形成され、ここに駆動軸１０の軸心から半径方向に伸びた円柱状の駆動ピン１０ｃが挿入されている。尚、圧入固定してもよく特に限定しない。また、駆動ピン１０ｃは駆動ギヤ１８ａの内周に切欠形成された凹部１８ｆに係合されている。
【００３５】
これにより、駆動ギヤ１８ａは駆動ピン１０ｃとの係合により駆動軸１０に周り止めされるため、駆動軸１０の回転駆動に伴って駆動ギヤ１８ａが駆動軸１０と同じ回転方向に回転する。一方、駆動ギヤ１８ａと噛合した従動ギヤ１８ｂが駆動軸１０とは反対方向に回転可能になっている。
【００３６】
その他、第２ポンプ９において、ポンプ室４には、第２サイドプレート１７の貫通孔１７ｃ及びカバー部材６の油路を介して連通された図示しない吸入ポートと、カバー部材６に形成された油路を介して第２ポンプ室Ｐ２に連通された図示しない吐出ポートが設けられていること以外は第１ポンプ８と略同じ構成である。
【００３７】
［駆動軸の周辺部材の寸法関係について］
次に、駆動軸１０の周辺部材の寸法関係について説明する。図２６は各寸法関係を示す概略図である。図２６（ａ）に示すように、駆動軸１０の中心から駆動ピン１０ａ（駆動ピン１０ｃ）の先端までの長さをＤ１、回転シール部材１２の半径をＤ２、第１シールリング１３ａ（第２シールリング１３ｂ）の半径をＤ３とすると、Ｄ１<Ｄ２<Ｄ３の関係が成立するように設定されている。
【００３８】
駆動ピン１０ａ（駆動ピン１０ｃ）の直径Ｄ４は、駆動ギヤ１５ａ（駆動ギヤ１８ａ）の厚み寸法Ｄ５以下に設定されている。
【００３９】
各リング収容部７ｆの深さＨ１は第１シールリング１３ａ（第２シールリング１３ｂ）の厚みＨ２と略等しく設定されている。
【００４０】
隣接する駆動ピン10a.10cの内側同士間の寸法Ｌ２は両シールリング13a,13bの外側同士間の寸法Ｌ１よりも大きく設定されている。
【００４１】
その他、前述したように、各サイドプレート14,17の貫通穴14a,17aの直径は駆動軸１０の直径よりも大きく設定されると共に、貫通穴14b,17bの直径は従動軸11a,11bの直径よりも大きく設定される。即ち、駆動軸１０及び従動軸11a,11bはそれぞれ対応する各サイドプレート14,17の貫通穴14a,17a及び貫通穴14b,17bと僅かな隙間を介して挿通される。
【００４２】
次に、実施例１の作用を説明する。
［ギヤポンプの組み立てについて］
次に、ギヤポンプ１の組み立てについて説明する。上述のように構成されたギヤポンプ１を組み立てる際には、先ず、シールS4が予め装着されたシール部材７のシール収容部７ｇに回転シール部材１２を挿入して仮固定する。
【００４３】
次に、シール部材７の貫通孔７ａに駆動軸１０を挿通した後、挿入孔7b,7cに従動軸11a,11bを挿入する。
【００４４】
次に、シール部材７の各リング収容部７ｆにそれぞれ対応するシールリング13a,13bを挿入する。この際、第１シールリング１３ａで回転シール部材１２が押圧されることにより、回転シール部材１２が駆動軸１０に良好に密着した状態となる。
【００４５】
次に、駆動軸１０の凹部10d,10eにそれぞれ対応する駆動ピン10a,10cを挿入固定した後、駆動ピン10a,10cに駆動ギヤ15a,18aの凹部15f,18fを係合させた状態で該駆動ギヤ15a,18aを駆動軸１０に組み付ける。
【００４６】
その後、従動軸11a,11bに従動ギヤ15b,18bを挿通させてそれぞれ対応する駆動ギヤ15a,18aに歯合させて組み付ける。
【００４７】
次に、シールS5,S6及び保持部材16,19が予め装着された各サイドプレート14,17に駆動軸１０及び従動軸11a,11bを挿通させてシール部材７に組み付ける。この際、シール部材７の第１サイドプレート１４側において、一対の係合凸部７ｅを第１サイドプレート１４のそれぞれ対応する係合部１４ｈに係合させることによって、これら両者を位置決めした状態で容易に組み付けることができる。また、保持部材１６によって、シール部材７と第１サイドプレート１４とを一時的に保持した状態で固定できる。さらに、保持部材１６は予めシール部材７に装着した状態で、その後、拡径させて第１サイドプレート１４に掛けることができ、装着性が良い。
【００４８】
同様に、第２サイドプレート１７側において、シール部材７の一対の係合凸部７ｅを第２サイドプレート１７のそれぞれ対応する係合部１７ｇに係合させることによって、これら両者を位置決めした状態で容易に組み付けることができる。また、保持部材１９によって、シール部材７と第１サイドプレート１４とを一時的に保持した状態で固定できる。さらに、保持部材１９は予めシール部材７に装着した状態で、その後、拡径させて第２サイドプレート１７に掛けることができ、装着性が良い。
【００４９】
次に、シールS1,S2が予め装着されたカバー部材６の貫通孔６ａに駆動軸１０を挿通しつつ、該カバー部材６の環状突起部６ｃをシール部材７に嵌合させて、カバー部材６とシール部材７を組み付けることにより、ポンプ組立体３を組み立てる。
【００５０】
最後に、このように組み付けられたポンプ組立体３をハウジング２のポンプ室４に挿入した後、プラグ部材５をポンプ室４に螺合して固定する。この際、プラグ部材５の螺合による軸力でシール部材７をポンプ室４の段部４ｂに密着させて安定した状態で固定でき、各部材の前後方向位置を正確に配置できると同時に、後述する作動液の圧力変動に伴うがたつきを防止できる。加えて、シールＳ１がプラグ部材５の環状突起部５ｂに押圧されることにより、ポンプ室４とカバー部材６とのシール性が良好となる。
【００５１】
このように、実施例１のギヤポンプでは、ポンプ組立体３を仮組みした状態でハウジング２に収容でき、組み立て作業の簡素化を図ることができる。
【００５２】
［ギヤポンプの作動について］
次に、ギヤポンプ１の作動について説明する。図１８に示すように、モータの駆動により駆動軸１０が図中矢印方向に回転駆動されると、第１ポンプ８において、駆動ギヤ１５ａを介して従動ギヤ１５ｂが駆動される。この作用によって吸入ポートと連通する第１サイドプレート１４のシールブロック１４ｅの貫通孔１４ｃから低圧（負圧）の作動液が導入され、ポンプ室Ｐ１に高圧の作動液が出力される。この高圧の作動液は対応する吐出ポートから出力される。
【００５３】
また、第２ポンプ９では第１ポンプ８と同様に、駆動ギヤ１８ａを介して従動ギヤ１８ｂが駆動されることにより、第２サイドプレート１７のシールブロック１７ｅの貫通孔１７ｃから低圧（負圧）の作動液が導入され、ポンプ室Ｐ２に高圧の作動液が出力される。この高圧の作動液は対応する吐出ポートに出力される。
【００５４】
このように、ギヤポンプ１は、両ポンプ室P1,P2において異なる配管系統の作動液の吸入と吐出とが行われることとなり、所謂タンデム式の外接ギヤポンプとして機能する。
【００５５】
なお、通常、第１ポンプ室Ｐ１に導入される第１配管系統の作動液は、自動車の左前方車輪及び右後方車輪、あるいは右前方車両及び左後方車輪のいずれか一方に対応し、第２ポンプ室Ｐ２に導入される第２配管系統の作動液は、自動車の左前方車輪及び右後方車輪、あるいは右前方車両及び左後方車輪のいずれか他方に対応する。
【００５６】
［サイドプレートと歯先シール部の一体化について］
次に、サイドプレート14,17と歯先シール部14g,17gの一体化について説明する。各サイドプレート14,17とそれぞれ対応する歯先シール部14g,17fを一体に形成しているため、部品点数と製造コストの削減、組み付け性の向上を図ることができる。また、各サイドプレート14,17を樹脂製としているため、製造精度を向上でき、シール性を向上できる。
【００５７】
［作動液のシール性について］
次に、作動液のシール性について説明する。第１ポンプ８において、各ギヤ15a,15bの歯先15c,15dは第１サイドプレート１４の歯先シール部１４ｇに液密に当接しながら摺動する。これにより、図１８に示すように、吸入ポートと連通した貫通穴１４ｃの通路部１４ｆ、駆動ギヤ１５ａ、従動ギヤ１５ｂ、シール部材７の一部で囲まれた空間が低圧の第１油室Ｂ１となり、ポンプ室Ｐ１が第１油圧室Ｂ１よりも高圧の第２油室Ｂ２となる。
【００５８】
この際、シールブロック１４ｅに対して第２油室Ｂ２側から第１油室Ｂ１側（歯先シール部１４ｇ側）及び側方に向けて押圧する力が生じるため、シールブロック１４ｅの係合部１４ｈがシール部材７の一対の係合凸部７ｅを押圧してこれら両者の密着度を高めて堅固に係合できると同時に、作動液の高圧側と低圧側のシールを良好に確保できる。また、前述した押圧力により歯先シール部１４ｇを各ギヤ15a,15bの歯先15c,15dに良好に当接させてシールでき、作動液の高圧側と低圧側のシールを良好に確保できる。
【００５９】
加えて、保持部材１６の保持力によって、歯先シール部１４ｇを各ギヤ15a,15bの歯先15c,15dに良好に当接させてシールできる。さらに、シールを保持部材１６によって、作動液の高圧側と低圧側のシール、特に歯先シール部１４ｇの外周における貫通穴１４ｃの周囲とシール部材７とシール性を向上できる。
【００６０】
第２ポンプ９においても、第１ポンプ８と同様の作用・効果を得ることができる。
【００６１】
［各ギヤの側面のシール性について］
次に、各ギヤ15,18とシール部材７とのシール性について説明する。各ギヤ15a,15bの前後面はそれぞれ対応する第１サイドプレート１４のサイドシール部１４ｄとシール部材７のサイドシール部７ｅによってシールされる。
【００６２】
この際、図２６（ａ）で説明したように、駆動ピン１０ａ（駆動ピン１０ｃ）の直径Ｄ４は、駆動ギヤ１５ａ（駆動ギヤ１８ａ）の厚み寸法Ｄ５以下に設定されているため、駆動ピン１０ａ（駆動ピン１０ｃ）が駆動ギヤ１５ａ（駆動ギヤ１８ａ）の両側面から突出せず、両ギヤ15,18の両側面のシール性を確保できる。
【００６３】
加えて、各リング収容部７ｆの深さＨ１は第１シールリング１３ａ（第２シールリング１３ｂ）の厚みＨ２と略等しく設定されているため、各シールリング13a,13bを安定した状態で設けることができる上、駆動ギヤ１５ａ（駆動ギヤ１８ａ）とのシール性を良好にできる。
【００６４】
［駆動軸または従動軸の傾倒について］
次に、駆動軸１０または従動軸11a,11bの傾倒について説明する。各サイドプレート14,17の貫通穴14a,17aの直径は駆動軸１０の直径よりも大きく設定されると共に、貫通穴14b,17bの直径は従動軸11a,11bの直径よりも大きく設定される。
【００６５】
即ち、駆動軸１０及び従動軸11a,11bはそれぞれ対応する各サイドプレート14,17の貫通穴14a,17a及び貫通穴14b,17bと僅かな隙間を介して挿通される。これにより、駆動軸１０または従動軸11a,11bが傾倒した場合であっても、各サイドプレート14,17は駆動軸１０または従動軸11a,11bから外力を受けることがなく、シール部材７と各サイドプレート14,17との当接部は安定した接触を維持してシール性を確保でき、製品信頼性を向上できる。
【００６６】
［駆動軸と各ギヤの相対位置決めについて］
次に、駆動軸１０と各ギヤ15,18との相対位置決めについて説明する。実施例１では、駆動軸１０が軸方向に移動すると、両駆動ピン10a,10cが駆動軸１０と共に移動方向へ移動すると共に、該移動方向後方側にある駆動ピン１０ａ（駆動ピン１０ｃ）の移動方向側側面のみが、対応する第１シールリング１３ａ（第２シールリング１３ｂ）に当接して、駆動軸１０の移動方向への移動を規制する。
【００６７】
即ち、図２６（ａ）で説明したように、隣接する駆動ピン10a.10cの内側同士間の寸法Ｌ２は両シールリング13a,13bの外側同士間の寸法Ｌ１よりも大きく設定されているため、図２６（ｂ）に示すように、例えば、駆動軸１０が図中左方向に移動した場合には、第１駆動ピン１０ａの左側面のみが第１シールリング１３ａに当接して、駆動軸１０の左方向への移動を規制する。
【００６８】
一方、図２６（ｃ）に示すように、駆動軸１０が図中右方向に移動した場合には、第２駆動ピン１０ｃの右側面のみが第２シールリング１３ｂに当接して、駆動軸１０の右方向への移動を規制する。
【００６９】
なお、駆動ピン１０ａ（駆動ピン１０ｃ）と第１シールリング１３ａ（第２シールリング１３ｂ）が当接した場合には、駆動ピン１０ｃ（駆動ピン１０ａ）と第２サイドプレート１７（第１サイドプレート１４）とが非接触状態となるようにその厚みが設定されている。
【００７０】
このように、実施例１では駆動軸１０と各ギヤ15,18とを軸方向に相対位置決めでき、換言すると、両者を相対移動量の範囲内に配置でき、駆動軸１０の軸方向の移動を規制して抜け止めを実現できる。
【００７１】
また、各駆動ピン10a,10cは軸方向内側で対応するシールリング13a,13bに当接するため、軸方向一方側からのみ力を受けることとなり、各駆動ピン10a,10cの耐久性を向上できる。
【００７２】
ここで、仮に、両シールリング13a,13bとシール部材７を一体形成した場合には、シール部材７を硬質な金属製で形成して耐久性を考慮する必要があり、製造コストと重量の増加を招いてしまう。
【００７３】
これに対し、実施例１では両シールリング13a,13bとシール部材７を別体にしているため、シール部材７を安価で軽量な樹脂等の材料で一体形成できる。さらに、両シールリング13a,13bを両サイドプレート14,17側にそれぞれ設けた場合に比べて、シール部材７のみの寸法管理でもって、駆動軸１０と各ギヤ8,9とを軸方向に容易且つ高精度に相対位置決めできる。
【００７４】
［回転シール部材のシール性について］
次に、回転シール部材１２のシール性について説明する。第１シールリング１３ａはシール収容部７ｇを閉塞しているため、駆動ピン１０ａと回転シール部材１２との接触による摩耗・損傷を防止して保護できる。
【００７５】
これにより、駆動軸１０とのシール性、即ち、両ポンプ室P1,P2同士間のシール性を良好に維持でき、製品信頼性を向上できる。なお、第２シールリング１３ｂ側にもシール収容部７ｇと回転シール部材１２を設けても良く、この場合にも同様の作用・効果を得られる。
【００７６】
また、シール収容部７ｇを貫通孔の中途部に形成した場合には、シール部材７を金属製としてシール収容部７ｇの位置で複数の分割体で構成して溶接接合する、あるいは、シール部材７を樹脂製として貫通孔にスライド型を挿入して形成する方法しかなく、これらはシール部材７の製造性の悪化や大型化を招く上、回転シール部材１２の介装作業が実際上困難となる。
【００７７】
これに対し、実施例１ではシール収容部７ｇをシール部材７の側面に形成しているため、シール部材７の製造性及び装着性を損なう虞がない。
【００７８】
［駆動ギヤの小型化について］
次に、駆動ギヤ15a,18aの小型化について説明する。図２５（ａ）で説明したように、駆動軸１０の中心から駆動ピン１０ａ（駆動ピン１０ｃ）の先端までの長さＤ１は、第１シールリング１３ａ（第２シールリング１３ｂ）の半径Ｄ２よりも小さく設定されている。これにより、駆動ピン１０ａ（駆動ピン１０ｃ）の突出長を短くして駆動ギヤ１５ａ（駆動ギヤ１８ａ）の径を小さくでき、ひいては、ギヤポンプ１の小型化を実現できる。
【００７９】
最後に、実施例１の効果を請求項１〜２２に対応する（１）〜（２２）と共に列記する。
（１）駆動源（モータ）に接続した駆動軸１０と、駆動軸１０によって回転駆動され第１ポンプ８を構成する第１ギヤ１５と、駆動軸１０によって回転駆動され第２ポンプ９を構成する第２ギヤ１８と、第１ギヤ１５と第２ギヤ１８とに挟まれ両ギヤ15,18の一方の側面をシールし、駆動軸１０が貫通する貫通穴７ａを有するシール部材７と、第１及び第２ギヤ１８の他方の側面をシールする第１サイドプレート１４及び第２サイドプレート１７と、駆動軸１０と各ギヤ15,18との間において、回転方向には回り止め係合し、軸方向には相対移動可能に結合する結合部と、を有し、結合部は、駆動軸１０に設けられ駆動軸１０の軸心から半径方向に伸びた駆動凸部（駆動ピン10a,10c）と、両ギヤ15,18に形成され駆動凸部（駆動ピン10a,10c）が係合する凹部15f,18fとからなり、シール部材７と駆動凸部（駆動ピン10a,10c）によって、駆動軸１０と各ギヤ15,18とを軸方向に相対位置決めすることとした。
【００８０】
これにより、駆動軸１０の回転駆動力を両ギヤ15,18に伝達する駆動凸部（駆動ピン10a,10c）でもって、駆動軸１０と各ギヤ15,18とを軸方向に相対位置決めできると同時に、ギヤポンプ１の良好な組み付け性を確保しつつ、小型化を達成できる。
【００８１】
（２）また、駆動凸部（駆動ピン10a,10c）とシール部材７によって相対位置決めこととした。
【００８２】
これにより、駆動凸部（駆動ピン10a,10c）と両サイドプレート14,17によって相対位置決めする場合に比べて、シール部材７のみの寸法管理でもって、駆動軸１０と各ギヤ15,18とを軸方向に容易且つ高精度に相対位置決めできる。
【００８３】
（３）また、駆動凸部（駆動ピン10a,10c）とシール部材７との間に該シール部材７より硬質のストッパ部材（シールリング13a,13b）を配置し、ストッパ部材（シールリング13a,13b）を介して相対位置決めすることとした。
【００８４】
これにより、シール部材７の製造コストの削減と軽量化を図ることができる。
【００８５】
（４）また、ストッパ部材（シールリング13a,13b）は略円盤状部材であって、駆動軸１０の中心から駆動凸部（駆動ピン10a,10c）の先端までの長さは、該ストッパ部材（シールリング13a,13b）の半径より短いこととした。
【００８６】
これにより、駆動ギヤ15a,18aを小径にでき、ギヤポンプ１を小型化できる。
【００８７】
（５）また、駆動凸部（駆動ピン10a,10c）とシール部材７との間にストッパ部材（シールリング13a,13b）を配置すると共に、シール部材７にストッパ部材（シールリング13a,13b）が設置される凹部（シール収容部７ｇ）を形成し、該凹部（シール収容部７ｇ）の深さはストッパ部材（シールリング13a,13b）の厚さとほぼ等しいこととした。
【００８８】
これにより、ストッパ部材（シールリング13a,13b）を安定した状態で設けることができると同時に、各ギヤ15,18とのシール性を良好にできる。
【００８９】
（６）また、駆動凸部（駆動ピン10a,10c）は、第１ギヤ１５を駆動する第１駆動凸部（駆動ピン１０ａ）と第２ギヤ１８を駆動する第２駆動凸部（駆動ピン１０ｃ）であり、駆動軸１０の一方側を第１駆動凸部（駆動ピン１０ａ）により位置決めし、他方側を第２駆動凸部（駆動ピン１０ｃ）により位置決めすることとした。
【００９０】
これにより、各駆動凸部（駆動ピン10a,10c）が駆動軸１０の一方側からのみ力を受けるため、駆動凸部（駆動ピン10a,10c）の耐久性を向上できる。
【００９１】
（７）また、第１駆動凸部（駆動ピン１０ａ）及び第２駆動凸部（駆動ピン１０ｃ）とシール部材７によって相対位置決めすることとした。
【００９２】
これにより、（２）と同様の作用・効果を得ることができる。
【００９３】
（８）また、駆動凸部（駆動ピン10a,10c）とシール部材７との間に該シール部材７より硬質のストッパ部材（シールリング13a,13b）を配置し、該ストッパ部材（シールリング13a,13b）を介して相対位置決めすることとした。
【００９４】
これにより、（３）と同様の作用・効果を得ることができる。
【００９５】
（９）また、ストッパ部材（シールリング13a,13b）は略円盤状部材であって、駆動軸１０の中心から駆動凸部（駆動ピン10a,10c）の先端までの長さは、該ストッパ部材（シールリング13a,13b）の半径より短いこととした。
【００９６】
これにより、（４）と同様の作用・効果を得ることができる。
【００９７】
（１０）また、駆動軸１０の外周と貫通穴７ａとの間をシールするシール材（回転シール部材１２）と、シール材（回転シール部材１２）に形成され、第１ギヤ１５の一方側に面して開口し、シール材（回転シール部材１２）を収容するシール収容部７ｇと、該シール収容部７ｇを閉塞するストッパ部材（第１シールリング１３ａ）と、を有し、駆動凸部（駆動ピン１０ａ）とシール部材７とはストッパ部材（第１シールリング１３ａ）を介して相対位置決めを行うこととした。
【００９８】
これにより、ストッパ部材（第１シールリング１３ａ）でシール材（回転シール部材１２）を保護でき、シール材（回転シール部材１２）の耐久性を向上できると同時にシール部材７の小型化を実現できる。
【００９９】
（１１）また、駆動凸部（駆動ピン10a,10c）の軸方向の幅は係合するギヤ（駆動ギヤ15a,18a）の板厚より小さいこととした。
【０１００】
これにより、駆動凸部（駆動ピン10a,10c）がギヤ（駆動ギヤ15a,18a）の両側面から突出せず、ギヤ（駆動ギヤ15a,18a）の両側面のシール性を確保できる。
【０１０１】
（１２）また、駆動源（モータ）に接続した駆動軸１０と、駆動軸１０によって回転駆動され第１ポンプ８を構成する第１ギヤ１５と、第１ギヤ１５が収容される第１ポンプ室Ｐ１と、駆動軸１０によって回転駆動され第２ポンプ９を構成する第２ギヤ１８と、第２ギヤ１８が収容される第２ポンプ室Ｐ２と、第１ポンプ室Ｐ１と第２ポンプ室Ｐ２とを区画すると共に、駆動軸１０が貫通する貫通穴７ａを有し、第１ギヤ１５及び第２ギヤ１８の一方側の側面に配置された隔壁部材（シール部材７）と、第１及ギヤ１５及び第２ギヤ１８の他方側の側面に配置された第１サイドプレート１４及び第２サイドプレート１７と、各ギヤ15,18と駆動軸１０との間において、回転方向には回り止め係合し、軸方向には相対移動可能に結合する結合部と、を有し、結合部は、駆動軸１０に設けられ駆動軸１０の軸心から半径方向に伸びた駆動ピン10a,10cと、ギヤ（駆動ギヤ15a,18a）に形成され駆動ピン10a,10cが係合する凹部15f,18fからなり、駆動ピン10a,10cと隔壁部材（シール部材７）との間で駆動軸１０の軸方向の動きを規制する規制手段（シールリング13a,13b）を構成することとした。
【０１０２】
これにより、（１）と同様の作用・効果を得ることができる。
【０１０３】
（１３）駆動ピン10a,10cと隔壁部材（シール部材７）との間に規制手段（シールリング13a,13b）を設けたこととした。
【０１０４】
これにより、（２）と同様の作用・効果を得ることができる。
【０１０５】
（１４）また、駆動ピン10a,10cと隔壁部材（シール部材７）との間に該隔壁部材（シール部材７）より硬質のストッパ部材（シールリング13a,13b）を配置したこととした。
【０１０６】
これにより、（３）と同様の作用・効果を得ることができる。
【０１０７】
（１５）また、ストッパ部材（シールリング13a,13b）は略円盤状であって、駆動軸１０の中心から駆動ピン10a,10cの先端までの長さは、該ストッパ部材（シールリング13a,13b）の半径より短いこととした。
【０１０８】
これにより、（４）と同様の作用・効果を得ることができる。
【０１０９】
（１６）また、隔壁部材（シール部材７）にストッパ部材（シールリング13a,13b）が設置される凹部（リング収容部７ｆ）を形成し、該凹部（リング収容部７ｆ）の深さはストッパ部材（シールリング13a,13b）の厚さとほぼ等しいこととした。
【０１１０】
これにより、（５）と同様の作用・効果を得ることができる。
【０１１１】
（１７）また、駆動ピン10a,10cは、第１ギヤ１５を駆動する第１駆動ピン（駆動ピン１０ａ）と第２ギヤ１８を駆動する第２駆動ピン（駆動ピン１０ｃ）であり、駆動軸１０の一方側を第１駆動ピン１０ａ（駆動ピン１０ａ）により位置決めし、他方側を第２駆動ピン（駆動ピン１０ｃ）により位置決めすることとした。
【０１１２】
これにより、（６）と同様の作用・効果を得ることができる。
【０１１３】
（１８）また、第１駆動ピン（駆動ピン１０ａ）及び第２駆動ピン（駆動ピン１０ｃ）と隔壁部材（シール部材７）との間に規制手段（シールリング13a,13b）を設けたこととした。
【０１１４】
これにより、（２）と同様の作用・効果を得ることができる。
【０１１５】
（１９）また、駆動ピン10a,10cと隔壁部材（シール部材７）との間にシール部材７より硬質のストッパ部材（シールリング13a,13b）を配置したこととした。
【０１１６】
これにより、（３）と同様の作用・効果を得ることができる。
【０１１７】
（２０）また、駆動軸１０の中心から駆動ピン10a,10cの先端までの長さは、ストッパ部材（シールリング13a,13b）の半径より短いこととした。
【０１１８】
これにより、（４）と同様の作用・効果を得ることができる。
【０１１９】
（２１）また、駆動軸１０の外周と貫通穴７ａとの間をシールするシール材（回転シール部材１２）と、隔壁部材（シール部材７）に形成され、第１ギヤ１５の一方側に面して開口し、シールを収容するシール収容部７ｇと、該シール収容部７ｇを閉塞するストッパ部材（第１シールリング１３ａ）と、を有し、駆動ピン１０ａと隔壁部材（シール部材７）はストッパ部材（第１シールリング１３ａ）を介して相対位置決めを行うこととした。
【０１２０】
これにより、（１０）と同様の作用・効果を得ることができる。
【０１２１】
（２２）また、駆動源（モータ）に接続した駆動軸１０と、駆動軸１０によって回転駆動され第１ポンプ８を構成する第１ギヤ１５と、第１ギヤ１５が収容される第１ポンプ室Ｐ１と、駆動軸１０によって回転駆動され第２ポンプ９を構成する第２ギヤ１８と、第２ギヤ１８が収容される第２ポンプ室Ｐ２と、第１ポンプ室Ｐ１と第２ポンプ室Ｐ２とを区画し、第１及び第２ギヤ１８の一方側の側面に配置された隔壁部材（シール部材７）と、第１ギヤ１５及び第２ギヤ１８の他方側の側面に配置された第１サイドプレート１４及び第２サイドプレート１７と、を有し、各ギヤ15,18は駆動軸１０の軸心から半径方向に伸びた駆動ピン10a,10cと、ギヤ15,18に形成された凹部15f,18fに駆動ピン10a,10cが係合し軸方向相対移動可能な状態で回転駆動し、駆動軸１０の一方側への軸方向の動きは第１ギヤ１５を駆動する第１駆動ピン（駆動ピン１０ａ）と隔壁部材（シール部材７）とで規制され、他方側への軸方向の動きは第２ギヤ１８を駆動する第２駆動ピン（駆動ピン１０ｃ）と隔壁部材（シール部材７）とで規制されることとした。
【０１２２】
これにより、（１）と同様の作用・効果を得ることができる。
【実施例２】
【０１２３】
次に、実施例２を説明する。
実施例２において、実施例１と同様の構成部材については同じ符号を付してその説明は省略し、相違点のみ詳述する。
【０１２４】
図２７は実施例２のギヤポンプを説明する断面図である。
【０１２５】
図２７に示すように、実施例２では、実施例１で説明した第１シールリング１３ａ及び第２シールリング１３ｂが省略される他、シール部材７が金属製で冷間鍛造工法により一体形成されている。
【０１２６】
また、回転シール部材１２が介装されていた位置には、内径が異なる段付きの収容部２０が形成されて、ここに樹脂製または金属製で環状の軸受け部材２１と、この軸受け部材２１の前方側に配置された環状のシールＳ７が介装されている。
また、駆動軸１０はシール部材７の貫通孔７ａとの間に隙間２２を有した状態で軸受け部材２１の内周に圧入固定され、これによって、駆動軸１０は軸受け部材２１を介して収容部２０に回転可能に支持されている。
この際、シールＳ７は駆動軸１０に密着して第１ポンプ室Ｐ１と第２ポンプ室Ｐ２とのシール性を確保している。
なお、軸受け部材２１はメタルボールベアリング等で代用しても良い。
【０１２７】
従って、実施例２では、駆動ピン１０ａの内側を軸受け部材２１に、駆動ピン１０ｃの内側をシール部材７に当接させて駆動軸１０の移動を規制でき、実施例１と同様の作用・効果を得ることができる。
【実施例３】
【０１２８】
次に、実施例３を説明する。
実施例３において、実施例１と同様の構成部材については同じ符号を付してその説明は省略し、相違点のみ詳述する。
【０１２９】
図２８は実施例３のギヤポンプを説明する断面図である。
【０１３０】
図２８に示すように、実施例３では、実施例１で説明した第１シールリング１３ａを第１サイドプレート１４に設ける一方、第２シールリング１３ｂを第２サイドプレート１７に設けているという点が実施例１と異なる。
【０１３１】
従って、実施例３では、駆動ピン１０ａの外側を第１シールリング１３ａに、駆動ピン１０ｃの外側を第２シールリング１３ｂに当接させて駆動軸１０の移動を規制でき、実施例１と同様の作用・効果を得ることができる。
【実施例４】
【０１３２】
次に、実施例４を説明する。
実施例４において、実施例１と同様の構成部材については同じ符号を付してその説明は省略し、相違点のみ詳述する。
【０１３３】
図２９は実施例４のギヤポンプを説明する断面図、図３０は実施例４の駆動ギヤと従動ギヤの配置を説明する図であり、ギヤポンプの作動を説明する図である。
【０１３４】
実施例４では、実施例１のギヤポンプ１がタンデム式の外接ギヤポンプであるのに対し、タンデム式の内接ギヤポンプを採用しているという点が実施例１と異なる。
【０１３５】
具体的には、図２９に示すように、両サイドプレート14,17は略器状の同一形状部品で構成される他、各サイドプレート14,17の外周にはシールブロック14e,17eの代わりに、シール部材７側へ環状に突出した外径部シール部40,41が形成されると共に、該外径部シール部40,41とシール部材７のそれぞれ対応するサイドシール部７ｄとが嵌合されている。
【０１３６】
そして、第１サイドプレート１４の外径部シール部４０とシール部材７の対応するサイドシール部７ｄで囲まれた間には、第１ポンプ８を構成する第１ギヤ１５が配設される。一方、第２サイドプレート１７の外径部シール部４１とシール部材７の対応するサイドシール部７ｄで囲まれた間には、第２ポンプ９を構成する第２ギヤ１８が配設されている。また、外径部シール部40,41の外周にそれぞれ掛けられた環状のシールS8,S9によって第１ポンプ室P1,P2側とのシール性が確保されている。
【０１３７】
なお、図示を省略するがこのシールS8,S9も保持部材16,19と同様に、一部がそれぞれ対応するサイドプレート14,17に掛けられて、シール部材７とサイドプレート14,17を保持するようになっている。
【０１３８】
図３０に示すように、第１ポンプ８における第１ギヤ１５は、内周に内歯部４２ａが形成されたアウタロータ４２と外周に外歯部４３ａが形成されたインナロータ４３とから構成される他、これら両ロータ42,43は偏心した状態で配設されて、内歯部４２ａと外歯部４３ａとが歯合部４４で噛合されることにより、アウタロータ４２とインナロータ４３で囲まれたポンプ室４５が形成されている。
【０１３９】
また、駆動軸１０における各ポンプ8,9のインナロータ４３と対応する位置には駆動軸１０の軸心から半径方向に伸びた四角柱形状の駆動凸部４６が一体形成されると共に、この駆動凸部４６がそれぞれ対応するインナロータ４３に切欠形成された凹部４３ｂに係合されている。なお、駆動凸部４６の軸方向の寸法はインナロータ４３の厚みよりも小さく設定されている。
【０１４０】
これにより、インナロータ４３は駆動凸部４６によって駆動軸１０に周り止めされるため、インナロータ４３の回転駆動によって、アウタロータ４２がインナロータ４３と同じ回転方向に回転可能になっている。また、アウタロータ４２は外径部シール部４０の内周に摺動しながら回転する。
【０１４１】
また、第１サイドプレート１４には、図３０で示すポンプ室４５の対向する位置付近に貫通孔47,48が形成されている。なお、貫通孔47,48は略三日月状の溝形状にしても良い。また、貫通孔４７はポンプ室４と第１サイドプレート１４との間に形成された空間４９を介してポンプ室４の吸入ポート５０に連通される一方、貫通孔４８はポンプ室４の吐出ポート５１に連通されている。
【０１４２】
一方、第２ポンプ９の第２ギヤ１７及び第２サイドプレート１７は、第１ポンプ８における第１ギヤ１５及び第１サイドプレート１４と同様に形成される他、第２サイドプレート１７には２つの貫通孔52,53が形成されている。
【０１４３】
また、貫通孔５２はカバー部材６に形成された油路５４を介してポンプ室４の吸入ポート５５に連通される一方、貫通孔５３はカバー部材６と第２サイドプレート１７との間に形成された空間５６と、カバー部材６に形成された油路５７を介してポンプ室４の吐出ポート５８に連通されている。
【０１４４】
その他、シール部材７の第１ギヤ１５側には実施例２で説明した軸受け部材２１が介装される一方、第２ギヤ１７側には実施例１で説明した回転シール部材１２が設けられている。また、第１サイドプレート１４の貫通孔４８はシールＳ１１により空間４９とのシール性が確保される一方、第２サイドプレート１７の貫通孔５２はシールＳ１２により空間５６とのシール性が確保されている。
【０１４５】
［ギヤポンプの作動について］
次に、実施例４のギヤポンプ１の作動について説明する。このように構成されたギヤポンプ１では、図３０に示すように、モータの駆動により駆動軸１０が図中矢印方向に回転駆動されると、両ポンプ8,9において、インナロータ４３を介してアウタロータ４２が駆動される。このとき、各ギヤ15,18におけるポンプ室４５の容積変化によってポンプ作用が生じ、第１ポンプ８では、低圧の作動油が第１サイドプレート１４の貫通孔４７を介して吸入ポート５０側から導入されて加圧された後、第１サイドプレート１４の貫通孔４８を介して吐出ポート５１側へ出力される。
【０１４６】
一方、第２ポンプ９では、低圧の作動油が第２サイドプレート１７の貫通孔５２を介し吸入ポート５５側から導入されて加圧された後、第２サイドプレート１７の貫通孔５３を介して吐出ポート５８側へ出力される。
【０１４７】
このように、実施例４のギヤポンプ１は、両ポンプ8,9において異なる配管系統の作動油の吸入と吐出とが行われ、所謂タンデム式の内接ギヤポンプとして機能する。
【０１４８】
［サイドプレートと外径部シール部の一体化について］
次に、実施例４のサイドプレート14,17と外径部シール部40,41の一体化について説明する。各サイドプレート14,17とそれぞれ対応する歯先シール部14g,17fを一体に形成しているため、部品点数と製造コストの削減、組み付け性の向上を図ることができる。また、各サイドプレート14,17を樹脂製としているため、製造精度を向上でき、シール性を向上できる。さらに、シール部材７とのシール性を保持部材16,19でもって確保できる。
【０１４９】
次に、実施例４の効果を請求項２３に対応する（２３）と共に記載する。
【０１５０】
（２３）駆動源に接続した駆動軸１０と、駆動軸１０によって回転駆動されるギヤ（アウタロータ４２及びインナロータ４３）と、ギヤ（アウタロータ４２及びインナロータ４３）の両側面に隣接して設けられギヤ（アウタロータ４２及びインナロータ４３）の側面からの作動液の漏れを抑制する一対のサイドプレート（第１及び第２サイドプレート14,17）と、駆動軸１０とギヤ（アウタロータ４２及びインナロータ４３）は回転方向には回り止め係合し、軸方向には相対移動可能に結合する結合部と、該結合部は駆動軸１０に設けられ駆動軸１０の軸心から半径方向に伸びた駆動凸部４６と、ギヤ（アウタロータ４２及びインナロータ４３）に形成された駆動凸部４６が係合する凹部４３ｂからなり、駆動凸部４６の軸方向の最大寸法をギヤ（アウタロータ４２及びインナロータ４３）の厚み寸法以下に形成するとともに、サイドプレート（第１及び第２サイドプレート14,17）と駆動凸部４６の対向部には駆動軸１０のギヤ（アウタロータ４２及びインナロータ４３）に対する軸方向の相対移動量を規制する規制部材（シールリング13a,13b）が設けられていることとした。
【０１５１】
これにより、実施例１と同様の作用・効果を得ることができる。
【０１５２】
以上、実施例を説明してきたが、本発明は上述の実施例に限られるものではなく、本発明の要旨を逸脱しない範囲の設計変更等があっても、本発明に含まれる。
例えば、各構成部材の材質や詳細な部位の形状は適宜設定できる。
【０１５３】
また、図３１に示すように、実施例１のギヤポンプにおいて、回転シール部材１２が隣接して配置されない第２シールリング１３ｂを省略することもできる。
【図面の簡単な説明】
【０１５４】
【図１】実施例１のギヤポンプの前方斜視図である。
【図２】実施例１のギヤポンプの後方斜視図である。
【図３】実施例１のギヤポンプの正面図である。
【図４】図３のＡ４−Ａ４線における断面図である。
【図５】図３のＡ５−Ａ５線における断面図である。
【図６】図４におけるポンプ組立体の要部拡大図である。
【図７】図５におけるポンプ組立体の要部拡大図である。
【図８】実施例１のシール部材の前方斜視図である。
【図９】実施例１のシール部材の後方斜視図である。
【図１０】実施例１のシール部材の正面図である。
【図１１】実施例１のシール部材の背面図である。
【図１２】図１１のＡ１２−Ａ１２線における断面図である。
【図１３】実施例１の第１サイドプレートの前方斜視図である。
【図１４】実施例１の第１サイドプレートの前方斜視図である。
【図１５】実施例１の第１サイドプレートの正面図である。
【図１６】実施例１の第１サイドプレートの背面図である。
【図１７】実施例１の第１サイドプレートの上面図である。
【図１８】実施例１の第１ギヤと第１サイドプレートの配置を説明する図であり、ギヤポンプの作動を説明する図である。
【図１９】実施例１の第１ギヤ、第１サイドプレート、シール部材（二点鎖線で図示）、保持部材（一点鎖線で図示）の配置を説明する図である。
【図２０】図１９のＡ２０−Ａ２０線における断面図である。
【図２１】実施例１の第２サイドプレートの後方斜視図である。
【図２２】実施例１の第２サイドプレートの後方斜視図である。
【図２３】実施例１の第２サイドプレートの正面図である。
【図２４】実施例１の第２サイドプレートの背面図である。
【図２５】実施例１の第２サイドプレートの上面図である。
【図２６】実施例１の駆動軸の周辺部材の寸法関係を説明する図であり、駆動ピンの相対位置決めを説明する簡略図である。
【図２７】実施例２のギヤポンプを説明する断面図である。
【図２８】実施例３のギヤポンプを説明する断面図である。
【図２９】実施例４のギヤポンプを説明する断面図である。
【図３０】実施例４のギヤポンプの作動を説明する図である。
【図３１】その他の実施例のギヤポンプの作動を説明する断面図である。
【符号の説明】
【０１５５】
Ｐ１  第１ポンプ室
Ｐ２  第２ポンプ室
１  ギヤポンプ
７  シール部材
７ａ  貫通孔
７ｆ  リング収容部
７ｇ  シール収容部
８  第１ポンプ
９  第２ポンプ
１０  駆動軸
１０ａ、１０ｃ  駆動ピン
１２  回転シール部材
１３ａ  第１シールリング
１３ｂ  第２シールリング
１４  第１サイドプレート
１５  第１ギヤ
１５ａ、１８ａ  駆動ギヤ
１５ｆ、１８ｆ  凹部
１７  第２サイドプレート
１８  第２ギヤ
４２  アウタロータ
４３  インナロータ
４３ｂ  凹部
４６  駆動凸部
【図１】
2010059931.tif 000003
【図２】
2010059931.tif 000004
【図３】
2010059931.tif 000005
【図４】
2010059931.tif 000006
【図５】
2010059931.tif 000007
【図６】
2010059931.tif 000008
【図７】
2010059931.tif 000009
【図８】
2010059931.tif 000010
【図９】
2010059931.tif 000011
【図１０】
2010059931.tif 000012
【図１１】
2010059931.tif 000013
【図１２】
2010059931.tif 000014
【図１３】
2010059931.tif 000015
【図１４】
2010059931.tif 000016
【図１５】
2010059931.tif 000017
【図１６】
2010059931.tif 000018
【図１７】
2010059931.tif 000019
【図１８】
2010059931.tif 000020
【図１９】
2010059931.tif 000021
【図２０】
2010059931.tif 000022
【図２１】
2010059931.tif 000023
【図２２】
2010059931.tif 000024
【図２３】
2010059931.tif 000025
【図２４】
2010059931.tif 000026
【図２５】
2010059931.tif 000027
【図２６】
2010059931.tif 000028
【図２７】
2010059931.tif 000029
【図２８】
2010059931.tif 000030
【図２９】
2010059931.tif 000031
【図３０】
2010059931.tif 000032
【図３１】
2010059931.tif 000033